(57)【要約】【課題】シートベルトの全体を保持することによって着座空間の開放性を高めることができ、また幼児によるいたずらや紛失を防止することができる、シートベルトの保持構造を提供すること。【解決手段】着座者が着座するシート本体１０と、このシート本体１０に着座した着座者を拘束するシートベルト２０と、シート本体１０の着座空間が開放状になる方向にシートベルト２０を保持するベルト保持手段としてのベルトカバー４０とを備える。このため、シート本体１０の前面における着座空間Ｓが、シートベルト２０が介在しない開放空間になるので、非固定状態のシートベルト２０が着座の妨げになることがない。【選択図】図２
2008290587.tif 000002
【特許請求の範囲】
【請求項１】
着座者が着座するシート本体と、
前記シート本体に着座した着座者を拘束するシートベルトと、
前記シート本体の着座空間が開放状になる方向に前記シートベルトを保持するベルト保持手段と、
を備えたことを特徴とするシートベルトの保持構造。
【請求項２】
前記シートベルトの少なくとも一部を覆うベルトカバーを備え、
前記ベルト保持手段は、前記ベルトカバーにおける前記シート本体に近接する端部に設けられたものであって、前記シート本体を押圧することにより前記シートベルトを保持する押圧部を備えること、
を特徴とする請求項１に記載のシートベルトの保持構造。
【請求項３】
前記シートベルトを、前記シート本体に着座した着座者の左右両側方に対応する位置にそれぞれ設け、
前記ベルトカバーは、前記左右両側方のシートベルトの各々に対応するように配置された左右一対のカバー本体と、これら左右一対のカバー本体を相互に連結する連結手段とを備え、
前記連結手段にて前記左右一対のカバー本体を相互に引き寄せることにより、前記押圧部を前記シート本体に密接保持すること、
を特徴とする請求項２に記載のシートベルトの保持構造。
【請求項４】
前記左右一対のカバー本体の少なくとも一部を前記シート本体の前面側に配置すると共に、前記連結手段の少なくとも一部を前記シート本体の背面側に配置したこと、
を特徴とする請求項３に記載のシートベルトの保持構造。
【請求項５】
前記ベルト保持手段は、前記シート本体と前記シートベルトのうち、いずれか一方に配置された第１の磁石と、いずれか他方における当該第１の磁石に対応する位置に配置された第２の磁石又は磁性体を備えること、
を特徴とする請求項１に記載のシートベルトの保持構造。
【請求項６】
前記シートベルトのうち、前記シート本体の座面に対する上方近傍に位置する部分を覆うベルトカバーを備え、
前記ベルトカバーの内部に、第１の磁石、あるいは、前記第２の磁石又は前記磁性体を配置したこと、
を特徴とする請求項５に記載のシートベルトの保持構造。
【請求項７】
前記シート本体は、シェルと、当該シェルの外面の少なくとも一部を覆うシートカバーとを備え、
前記シートカバーにて覆われる前記シェルの外面に、前記第１の磁石、あるいは、前記第２の磁石又は前記磁性体を配置したこと、
を特徴とする請求項５又は６に記載のシートベルトの保持構造。
【請求項８】
前記シートベルトには、留め具を設け、
前記シート本体には、前記留め具を着脱自在に固定するための固定具を設け、
前記シートベルトの留め具を、前記第１の磁石としたこと、
を特徴とする請求項５から７のいずれか一項に記載のシートベルトの保持構造。
【発明の詳細な説明】
【技術分野】
【０００１】
本発明は、チャイルドシートの如き各種のシートに関し、非固定状態のシートベルトを着座空間の妨げにならないような位置や角度に保持するための、シートベルトの保持構造に関する。
【背景技術】
【０００２】
自動車用シートに着脱自在に取付けられるチャイルドシートは、概略的に、シート本体と、シートベルトとを備えて構成されている。シートベルトは、例えば、シート本体の前面に左右一対に設けられており、シート本体に着座した幼児の両肩上方から、幼児の側部下方に至るように形成されている。各シートベルトにはタング（留め具）が取り付けられており、このタングを、シート本体の前面下方に設けられたバックル（固定具）に着脱自在に係止させることで、幼児を上方２点と下方３点との５点によって確実に拘束することができる。
【０００３】
ここで、各シートベルトは、一般的にはポリエステル繊維を帯状に編むことによって形成されているため、高い柔軟性を有する。従って、留め具からバックルを取り外すことによってシートベルトを非固定状態とし、幼児をチャイルドシートから離席させた場合、各シートベルトがシート本体の前面に垂れ下った状態になる。この状態において幼児を再びチャイルドシートに座らせる場合、従来は、シート本体の前面に垂れ下がったシートベルトの上に幼児を一旦座らせた後、幼児の下敷きになったシートベルトを幼児の外側に引き出してから、シートベルトの固定を行う必要があった。
【０００４】
しかしながらこのような作業は、保護者にとって面倒であると共に、幼児の体を揺さぶることになるために当該幼児に不快感を与えるという問題があった。このような問題を解決するため、従来から、非固定状態のシートベルトを着座空間の妨げにならないように保持するための保持構造が提案されていた（例えば、特許文献１参照）。この構造では、磁石を内蔵したアップリケをシート本体に固定し、この磁石によってシートベルトの先端のバックルを保持することで、着座空間を開放状としていた。
【０００５】
【特許文献１】特開２００１−１５８２６３号公報
【発明の開示】
【発明が解決しようとする課題】
【０００６】
しかしながら、上記従来の保持構造では、シートベルトの先端の保持しか行うことができず、その他の部分、例えばシートベルトの上端部は以前として垂れ下がったままであるため、着座空間を開放状とするためには不十分であった。また、シートベルトの先端に関しても、アップリケをシート本体に固定した場合には、当該アップリケが幼児の興味を不用意に引いていたずらの対象になってしまったり、アップリケを紛失してしまってシートベルトの保持ができなくなる等、問題が生じる可能性があった。
【０００７】
本発明は、上記に鑑みてなされたものであって、シートベルトの全体を保持することによって着座空間の開放性を高めることができ、また器具が幼児によっていたずらされたり紛失することを防止できる、シートベルトの保持構造を提供することを目的とする。
【課題を解決するための手段】
【０００８】
上述した課題を解決し、目的を達成するために、請求項１に記載の本発明は、着座者が着座するシート本体と、前記シート本体に着座した着座者を拘束するシートベルトと、前記シート本体の着座空間が開放状になる方向に前記シートベルトを保持するベルト保持手段と、を備えたことを特徴とする。
【０００９】
請求項２に記載の本発明は、請求項１に記載の本発明において、前記シートベルトの少なくとも一部を覆うベルトカバーを備え、前記ベルト保持手段は、前記ベルトカバーにおける前記シート本体に近接する端部に設けられたものであって、前記シート本体を押圧することにより前記シートベルトを保持する押圧部を備えること、を特徴とする。
【００１０】
請求項３に記載の本発明は、請求項２に記載の本発明において、前記シートベルトを、前記シート本体に着座した着座者の左右両側方に対応する位置にそれぞれ設け、前記ベルトカバーは、前記左右両側方のシートベルトの各々に対応するように配置された左右一対のカバー本体と、これら左右一対のカバー本体を相互に連結する連結手段とを備え、前記連結手段にて前記左右一対のカバー本体を相互に引き寄せることにより、前記押圧部を前記シート本体に密接保持すること、を特徴とする。
【００１１】
請求項４に記載の本発明は、請求項３に記載の本発明において、前記左右一対のカバー本体の少なくとも一部を前記シート本体の前面側に配置すると共に、前記連結手段の少なくとも一部を前記シート本体の背面側に配置したこと、を特徴とする。
【００１２】
請求項５に記載の本発明は、請求項１に記載の本発明において、前記ベルト保持手段は、前記シート本体と前記シートベルトのうち、いずれか一方に配置された第１の磁石と、いずれか他方における当該第１の磁石に対応する位置に配置された第２の磁石又は磁性体を備えること、を特徴とする。
【００１３】
請求項６に記載の本発明は、請求項５に記載の本発明において、前記シートベルトのうち、前記シート本体の座面に対する上方近傍に位置する部分を覆うベルトカバーを備え、前記ベルトカバーの内部に、第１の磁石、あるいは、前記第２の磁石又は前記磁性体を配置したこと、を特徴とする。
【００１４】
請求項７に記載の本発明は、請求項５又は６に記載の本発明において、前記シート本体は、シェルと、当該シェルの外面の少なくとも一部を覆うシートカバーとを備え、前記シートカバーにて覆われる前記シェルの外面に、前記第１の磁石、あるいは、前記第２の磁石又は前記磁性体を配置したこと、を特徴とする。
【００１５】
請求項８に記載の本発明は、請求項５から７のいずれか一項に記載の本発明において、前記シートベルトには、留め具を設け、前記シート本体には、前記留め具を着脱自在に固定するための固定具を設け、前記シートベルトの留め具を、前記第１の磁石としたこと、を特徴とする。
【発明の効果】
【００１６】
請求項１に記載の本発明によれば、シート保持部を用いてシートベルトを開放方向に保持できるので、着座者の着座前の状態においても、シートベルトがシート本体の前方内側に垂れ下がることを防止でき、着座空間をシートベルトの介在がない開放空間に維持することができる。この結果、着座者を着座空間に着座させてもシートベルトが当該着座者の下敷きになることもなく、シートベルトを着座者の下から外側に引き出す手間が不要になると共に、幼児等の着座者を不用意に揺り動かす必要がなくなるので不快感を与えることもない。また、シートベルトを一定方向に保持することで、シートベルトの捻れを防止できると共に、シートベルトを捻れたまま固定してしまうような誤使用を防止できる。
【００１７】
請求項２に記載の本発明によれば、ベルトカバーを取り付けるだけでシートベルトの上部を保持することができ、特にベルトカバー自体は従来から使用されているものであるため、新規な部品や操作を必要としないので、シートの製造や使用の簡便性を維持できると共に、製造コストを維持することができる。
【００１８】
請求項３に記載の本発明によれば、連結手段にて押圧部をシート本体に密接保持することで、シート本体に対する押圧部の押圧力を高めてシートベルトの保持力を向上させることができるので、シート本体の前面の着座空間を一層開放状とすることができる。
【００１９】
請求項４に記載の本発明によれば、連結手段の少なくとも一部をシート本体の背面側に配置することで、シートの意匠性を連結手段によって損なうことがないと共に、連結手段が着座者に不快感を与えるようなことを防止できる。
【００２０】
請求項５に記載の本発明によれば、第１の磁石及び第２の磁石又は磁性体を用いてシートベルトを保持できるので、着座者の着座前の状態においても、シートベルトの下部がシート本体の前方内側に垂れ下がることを防止でき、着座空間をシートベルトの介在がない開放空間に維持することができる。
【００２１】
請求項６に記載の本発明によれば、第１の磁石、あるいは、第２の磁石又は磁性体はベルトカバーによって覆われて外部に非露出状になっているため、幼児等の着座者が当該第１の磁石、あるいは、当該第２の磁石又は当該磁性体第２の磁石をいたずらしたり、これらが着座者に不用意に接触して当該着座者に不快感を与えることを防止できる。さらに、幼児等の着座者をシートから持ち上げる際には、通常、シート本体の座面に対して上方かつ近傍の位置に手を差し入れることになり、この動作によってシートベルトの下部を自然に左右外側へ押し付けることになるので、左右外側へ押し付けられたシートベルトの下部が第１の磁石と第２の磁石又は磁性体によってそのまま保持される。従って、特殊な操作を行うことなく、第１の磁石と、第２の磁石又は磁性体とを相互に近接させて、シートベルトの下部を保持させることができる。
【００２２】
請求項７に記載の本発明によれば、第１の磁石、あるいは、第２の磁石又は磁性体はシートカバーによって覆われて外部に非露出状になっているため、幼児等の着座者が当該第１の磁石、あるいは、当該第２の磁石又は当該磁性体第２の磁石をいたずらしたり、これらが着座者に不用意に接触して当該着座者に不快感を与えることを防止できる。
【００２３】
請求項８に記載の本発明によれば、シートベルトの留め具を第１の磁石としたので、従来から用いている留め具の材質を変更するだけでベルト保持部の一部を構成でき、別途に第１の磁石を固定等する必要がないので、シートベルトの保持構造を一層簡易に構成できる。
【発明を実施するための最良の形態】
【００２４】
以下に添付図面を参照して、この発明に係るシートベルトの保持構造の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２５】
〔Ｉ〕各実施の形態に共通の基本的概念
まず、各実施の形態に共通の基本的概念について説明する。各実施の形態に係るシートベルトの保持構造は、シートベルトを、着座空間が開放状になる方向に保持するための構造である。シートベルトとは、例えば、シート（自動車や飛行機の如き乗り物のシートや、車椅子の如き各種の椅子を含む）に対して、着座者（幼児、年少者、大人、あるいは高齢者を含む）を着座状態で保持するためのものである。以下では、自動車のシートに取り付けられるチャイルドシートのシートベルトを一例として挙げ、幼児を着座者とした場合について説明する。
【００２６】
着座空間が開放状になる方向（以下「開放方向」）とは、ここでは、少なくとも着座者をシートに着座させる前の状態において、シートの前面にシートベルトが介在しない開放空間を形成するように、シートベルトを保持する方向を意味としている。例えば、シートベルトの上部を、シート本体の背もたれ面に対して直交状に保持したり、シート本体の背もたれ面に沿って外側（シート本体の前方中心位置から離れる方向であり、例えば、シートベルトを左右一対に設けた場合において、右側のシートベルトは右側、左側のシートベルトは左側）に向う角度に保持する。このような開放構造を採用することで、幼児の着座前の状態においても、シートベルトがシート本体の前方内側に垂れ下がることを防止でき、着座空間をシートベルトの介在がない開放空間に維持することができる。
【００２７】
ただし、この開放空間としては、必ずしもシートベルトが完全に介在していない空間のみに限定されるものではなく、従来に比べて、シートベルトの介在が若干でも低減できている全ての空間を含む。また、着座者をシートに着座させる前のみならず、着座者の着座後に、当該着座者のシートベルトの装着感や安全性を維持又は向上させるために、シートベルトを所定の角度や位置に保持することを含み得る。
【００２８】
〔II〕各実施の形態の具体的内容
次に、本発明に係る各実施の形態の具体的内容について説明する。
【００２９】
〔実施の形態１〕
まず実施の形態１について説明する。この形態は、シートベルトを覆うベルトカバーによってシートベルトの上部を保持すると共に、磁力によってシートベルトの下部を保持する形態である。
【００３０】
（チャイルドシートの全体構成）
最初に本実施の形態に係るチャイルドシートの全体構成について説明する。図１は、幼児を着座させた状態のチャイルドシートの斜視図、図２はチャイルドシートの正面図であって、（ａ）は幼児を着座させる前の状態、（ｂ）は幼児を着座させた直後の状態、図３は各ベルトの相互関係を示す斜視図（シート本体を想像線にて示す）、図４はシート本体の分解斜視図、図５はシート本体を背面側から見た斜視図である。概略的に、チャイルドシート１は、シート本体１０とシートベルト２０を備えて構成されている。
【００３１】
シート本体１０は、シェル１１と、シートカバー１２とを備えて構成されている。シェル１１は、チャイルドシート１の基本構造体であり、所要の剛性を有する硬質樹脂等の素材を用いて、幼児を着座状態で保持可能な形状にて形成されている。このシェル１１の底面や背面には、当該チャイルドシート１を自動車のシート（図示を省略する）に固定するための公知の固定構造（図示を省略する）が設けられており、当該固定構造を用いて当該チャイルドシート１を自動車のシートに着脱自在に固定することができる。シートカバー１２は、シェル１１をその前面側から覆うもので、ウレタンの如き軟性の素材を用いて、シートカバー１２の前面に略合致する形状にて形成されている。このシートカバー１２をシェル１１に着脱自在に取り付けることで、幼児の着座時の快適性を向上させることができる。
【００３２】
シートベルト２０は、シート本体１０に着座した幼児の左右両側方に対応する位置にそれぞれ設けられている。各シートベルト２０は、例えば従来と同様にポリエステル繊維を帯状に編むことによって形成されており、高い柔軟性を有する。各シートベルト２０は、概略的には、図２（ｂ）に示すように、幼児の肩上方位置から臀部側方位置に至るように架け渡すことが可能であり、その長手方向の中央やや下方寄りの位置にはタング（留め具）２１が取り付けられている。そして、図２（ｂ）のように幼児をシート本体１０に着座させた後、左右のシートベルト２０の各々のタング２１を相互に隣接させて一体に組み合わせ、この組み合わせ状態のタング２１を、シート本体１０の前面下部に設けたバックル（固定具）１３に差し込んで係脱自在に係止させることで、シートベルト２０の仮装着が完了する。
【００３３】
ここで、図４に示すように、各シートベルト２０の下端部は、シート本体１０のシートカバー１２及びシェル１１に形成した挿通孔（図示せず）を順次介してシート本体１０の底面側に引き出され、当該底面においてシート本体１０に公知の固定構造（図示せず）にて固定されている。このシートベルト２０の下部のうち、シート本体１０の座面に対する上方近傍位置には、ベルトカバー３０が設けられている。このベルトカバー３０は、主として当該シートベルト２０が幼児の脚部に当接する際の不快感を軽減するためのものであり、ウレタンの如き軟性の素材にて形成された布体を筒状に縫製して構成されており、その内部の挿通孔３１（後述する図１０において図示）にシートベルト２０を挿脱自在に挿通させることができる。
【００３４】
また、図５に示すように、各シートベルト２０の上端部は、シート本体１０のシートカバー１２及びシェル１１にそれぞれ形成した挿通孔１４を介してシート本体１０の背面側に引き出される。この挿通孔１４は、シート本体１０の背もたれ部における高さ方向の複数位置に並設されており、幼児の成長度に応じてその身長に合致した挿通孔１４にシートベルト２０を挿通させることで、シートベルト２０の位置を調節することができる。このように挿通されたシートベルト２０の上端部は、図３に示すように、当該背面側に配置された略Ｔ字状の固定金具１５に係脱自在に係止されている。この固定金具１５は調節ベルト１６に固定されており、この調節ベルト１６は、シート本体１０の内部下方を通って、当該シート本体１０の前面側に引き出されている。従って、図１に示すように、幼児をシート本体１０に着座させ、シートベルト２０を仮装着した後で、当該調節ベルト１６の前端部を前面側に引っ張ると、この調節ベルト１６に固定されている図３の固定金具１５が下方に引っ張られ、これに伴ってシートベルト２０の上端部が引っ張られるので、結果としてシートベルト２０の緩みがなくなり、幼児に対してシートベルト２０を密着させることができる。
【００３５】
図１に示すように、このシートベルト２０の上方には、ベルトカバー４０が設けられている。このベルトカバー４０は、主として、事故時の安全性の向上と快適性の向上を目的としたものである。図６は、実施の形態１に係るベルトカバー４０の斜視図、図７は、図６のＡ−Ａ矢視断面図、図８は、シート本体１０に対するベルトカバー４０の取り付け方法を示す分解斜視図である。このベルトカバー４０は、左右一対のカバー本体４１、４２と、これらカバー本体４１、４２を相互に連結する連結ベルト４５を備えて構成されている。カバー本体４１、４２は、図７に示すように、ウレタンの如き軟性の素材にて形成された布体を２つ折り状にして構成されており、その内部の挿通孔４３、４４（挿通孔４４は後述する図９に図示）にシートベルト２０を挿脱自在に挿通させることができる。一方、連結ベルト４５は、例えばシートベルト２０と同様の素材及び製法にて構成されており、図７に示すように、その両端部を各カバー本体４１、４２の内部に通した状態で当該カバー本体４１、４２に縫合等されることで、当該カバー本体４１、４２に固定されている。
【００３６】
このベルトカバー４０の取り付け手順は、例えば、図８に示すように、シートベルト２０の上端部をシート本体１０の挿通孔１４に挿通させる前に、ベルトカバー４０のカバー本体４１、４２を、シートベルト２０の上端部を挿通させるのと同じ挿通孔１４を介して、シート本体１０の背面側から前面側に挿通する。この状態では、連結ベルト４５のみがシート本体１０の背面側に残る。そして、このカバー本体４１、４２の挿通孔１４にシートベルト２０の上端部を挿通させ、さらに当該上端部をシート本体１０の挿通孔１４を介して背面側に引き出すことで、シートベルト２０の上方部をカバー本体４１、４２にて覆うことができる。
【００３７】
（チャイルドシート１の開放保持構造−上部）
次に、チャイルドシート１の開放保持構造について説明する。本実施形態では、シートベルト２０の上部に関する構造と下部に関する構造の２つがあるが、最初に上部に関する構造について説明する。この構造は、概略的には、ベルトカバー４０を用いてシートベルト２０の上部を開放方向に保持するものである。具体的には、図６、７に示すように、ベルトカバー４０のカバー本体４１、４２の一端部（シート本体１０に近接する側の部分）のうち、着座空間Ｓに面する側の端部を従来よりも延長した押圧部４６とし、この押圧部４６でシート本体１０を押圧することにより、シートベルト２０を着座空間Ｓに対して離隔させる。すなわち、押圧部４６は、特許請求の範囲におけるベルト保持部に対応する。
【００３８】
この押圧部４６は、図７に示すように、カバー本体４１、４２（図７にはカバー本体４１のみを示す）の端部を従来のカバー本体４１、４２よりも長さＬだけ延長することによって形成されており、カバー本体４１、４２と同一の素材にて一体に形成されている。従って、この押圧部４６は、カバー本体４１、４２と同様の弾性を有し、シート本体１０に当接した場合には弾性反発することによってシート本体１０を押圧し、結果として、シート本体１０からカバー本体４１、４２を押し離す。図９には図２（ａ）のＢ−Ｂ矢視断面図を示す。ここでは、２つ折り状に形成したカバー本体４１、４２の各側部４７、４８のうち、着座空間Ｓに面する側の側部４７にのみ押圧部４６を設け、この着座空間Ｓに面する側をシート本体１０から押し離す（着座空間Ｓに面しない側をシート本体１０に近接させる）ことで、カバー本体４１、４２を着座空間Ｓから離隔させている。
【００３９】
この離隔の程度の調整は、押圧部４６の長さや弾性を調整することで行うことができ、例えば、カバー本体４１、４２をシート本体１０の背もたれ面に対して略直交するように立ち上げることもできる（正面から見て右側のカバー本体４１、４２については、右側やや上方にカバー本体４１、４２を立上げ、正面から見て左側のカバー本体４１、４２については、左側やや上方にカバー本体４１、４２を立上げる）。従って、図２（ａ）に示すように、幼児の着座前の状態においても、シートベルト２０の上部を開放方向に維持でき、このシートベルト２０の上部がシート本体１０の前方内側に垂れ下がることを防止できるので、着座空間Ｓをシートベルト２０の介在がない（少ない）開放空間に維持することができる。このため、幼児を着座空間Ｓに着座させてもシートベルト２０が当該幼児の下敷きになることがなく、シートベルト２０を幼児の下から外側に引き出す手間が不要になると共に、幼児を不用意に揺り動かす必要がなくなるので不快感を与えることもない。なお、図２（ｂ）に示すように幼児を着座空間Ｓに着座させた後は、押圧部４６の弾性反発に抗して、調節ベルト１６を引っ張ることでシートベルト２０の緩みを取ることができるので、シートベルト２０の装着性に支障を来たすことがない。
【００４０】
（チャイルドシート１の開放保持構造−下部）
次に、チャイルドシート１の開放保持構造のうち、下部に関する構造について説明する。この構造は、概略的には、シートベルト２０の下部を磁力によってシート本体１０に近接させておくことで、シートベルト２０の下部を開放方向に保持するものである。図１０は、図２（ａ）のＣ−Ｃ矢視断面図、図１１は、カバー本体４１、４２からベルトカバー３０の一部を取り外した状態の斜視図である。上述のように、シートベルト２０の下部のうち、シート本体１０の座面に対する上方位置には、筒状のベルトカバー３０が設けられており、このベルトカバー３０の挿通孔３１にシートベルト２０が挿通されている。
【００４１】
ここで、ベルトカバー３０とシートベルト２０との相互間には、永久磁石である第１の磁石５０が配置されている。具体的には、第１の磁石５０を覆う取付け布５１をベルトカバー３０に縫製等することで、当該第１の磁石５０がベルトカバー３０に固定されている。この状態において、第１の磁石５０はベルトカバー３０によって覆われて外部に非露出状になっているため、幼児が当該第１の磁石５０をいたずらしたり、第１の磁石５０が幼児に不用意に接触して当該幼児に不快感を与えることを防止できる。
【００４２】
一方、シート本体１０には、永久磁石である第２の磁石１７が配置されている。具体的には、第２の磁石１７は、シート本体１０に形成された凹部１８に収容されており、ボルト止めや接着等の方法にて当該シート本体１０に固定されている。この状態において、第２の磁石１７はシートカバー１２によって覆われて外部に非露出状になっているため、幼児が当該第２の磁石１７をいたずらしたり、第２の磁石１７が幼児に不用意に接触して当該幼児に不快感を与えることを防止できる。
【００４３】
ここで、第２の磁石１７の固定位置は、シートベルト２０をシート本体１０に沿わせた時に、第２の磁石１７がシートベルト２０の第１の磁石５０に近接するような位置に決定されている。従って、このようにシートベルト２０をシート本体１０に沿わせることで、これら第１の磁石５０と第２の磁石１７とが相互に近接して引き合い、シートベルト２０をシート本体１０に沿わせた状態で保持することできる。すなわち、これら第１の磁石５０と第２の磁石１７とは、特許請求の範囲におけるベルト保持部に対応する。従って、図２（ａ）に示すように、幼児の着座前の状態においても、シートベルト２０の下部を開放方向に保持でき、シートベルト２０の下部がシート本体１０の前方内側に垂れ下がることを防止できるので、着座空間Ｓをシートベルト２０の介在がない（少ない）開放空間に維持することができる。このため、幼児を着座空間Ｓに着座させてもシートベルト２０が当該幼児の下敷きになることがなく、シートベルト２０を幼児の下から外側に引き出す手間が不要になると共に、幼児を不用意に揺り動かす必要がなくなるので不快感を与えることもない。
【００４４】
（実施の形態１の効果）
このように実施の形態１によれば、シート保持部を用いてシートベルト２０を所要状態に維持できるので、幼児の着座前の状態においても、シートベルト２０がシート本体１０の前方内側に垂れ下がることを防止でき、着座空間Ｓをシートベルト２０の介在がない開放空間に維持することができる。
【００４５】
特に、ベルトカバー４０の押圧部４６をシート保持部としたので、従来と同様に当該ベルトカバー４０をチャイルドシート１に取り付けるだけで、シートベルト２０の上部を保持することができ、特別な部品や操作を必要としないので、チャイルドシート１の製造や使用の簡便性を維持できると共に、製造コストを維持することができる。
【００４６】
また、第１の磁石５０及び第２の磁石１７を用いてシートベルト２０の下部を所要状態に維持できるので、幼児の着座前の状態においても、シートベルト２０の下部がシート本体１０の前方内側に垂れ下がることを防止でき、着座空間Ｓをシートベルト２０の介在がない開放空間に維持することができる。
【００４７】
また、第１の磁石５０はベルトカバー３０によって覆われて外部に非露出状になっているため、幼児が当該第１の磁石５０をいたずらしたり、第１の磁石５０が幼児に不用意に接触して当該幼児に不快感を与えることを防止できる。
【００４８】
また、第２の磁石１７はシートカバー１２によって覆われて外部に非露出状になっているため、幼児が当該第２の磁石１７をいたずらしたり、第２の磁石１７が幼児に不用意に接触して当該幼児に不快感を与えることを防止できる。
【００４９】
特に、幼児をチャイルドシート１から持ち上げる際には、通常、シート本体１０の座面に対して上方かつ近傍の位置に手を差し入れるので、この動作によってシートベルト２０の下部を自然に左右外側へ押し付けることになるので、左右外側へ押し付けられたシートベルト２０の下部が第１の磁石５０と第２の磁石１７とによってそのまま保持される。従って、特殊な操作を行うことなく、シートベルト２０の下部を所要の開放状態とすることができる。
【００５０】
そして、このようにシートベルト２０の上部と下部の両方がシート本体１０の前方内側に垂れ下がることを防止できるので、着座空間Ｓをシートベルト２０の介在がない（少ない）開放空間に維持することができ、幼児を着座空間Ｓに着座させてもシートベルト２０が当該幼児の下敷きになることもなく、シートベルト２０を幼児の下から外側に引き出す手間が不要になると共に、幼児を不用意に揺り動かす必要がなくなるので不快感を与えることもない。
【００５１】
また、このようにシートベルト２０を一定方向に保持することで、シートベルト２０の捻れを防止できると共に、シートベルト２０を捻れたまま固定してしまうような誤使用を防止できる。
【００５２】
また、このようなベルトカバー３０や磁石を用いた恒久的な構造によってシートベルト２０の保持を行うことができるので、従来のようにアップリケを用いた構造のように、アップリケを紛失等するおそれを解消できる。
【００５３】
〔実施の形態２〕
次に、実施の形態２について説明する。この形態は、ベルトカバーのカバー本体を連結手段を介して相互に引き寄せる形態である。なお、実施の形態２の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００５４】
図１２は、実施の形態２に係るベルトカバーの斜視図、図１３は、図１２のＤ−Ｄ矢視断面図、図１４は、図９に対応する切断面における、実施の形態２に係るベルトカバー等の断面図である。このベルトカバー６０は、左右一対のカバー本体４１、４２と、これらカバー本体４１、４２を相互に連結する連結ベルト４５に加えて、さらに第２の連結ベルト６１を備えて構成されている。この第２の連結ベルト６１は、特許請求の範囲における連結手段に対応するもので、例えば合成ゴムの如き弾性部材を用いて帯状に形成されており、その弾性力により、これら左右一対のカバー本体４１、４２を相互に引き寄せる。この第２の連結ベルト６１は、連結ベルト４５と同様にシート本体２０の背面側に配置されているので、チャイルドシート１のの意匠性を損なうことがなく、また、幼児のいたずらの対象になったり、幼児に不快感を与えることがない。
【００５５】
この場合、図１４に示すように、各カバー本体４１、４２をシート本体１０に一層密着させることができ、これらカバー本体４１、４２とシートカバー１２との相互間の摩擦を増加させて、押圧部４６の弾性反発力を増大させてシートベルト２０の立上げを促し、結果として、図９に示した実施の形態１の場合に比べて、シートベルト２０をシート本体１０の背もたれ面に対して一層大きな角度で立上げるように保持することができる。
【００５６】
（実施の形態２の効果）
このように実施の形態２によれば、第２の連結ベルト６１にて左右一対のベルトカバー６０を相互に引き寄せることにより、シートベルト２０をシート本体１０に対して離隔させてその立上げ角度を増加させることができるので、シート本体１０の前面の着座空間Ｓを一層開放状とすることができる。
【００５７】
特に、第２の連結ベルト６１は、シート本体２０の背面側に配置されているので、チャイルドシート１のの意匠性を損なうことがなく、また、幼児のいたずらの対象になったり、幼児に不快感を与えることがない。
【００５８】
〔実施の形態３〕
次に、実施の形態３について説明する。この形態は、タングを第１の磁石とした形態である。なお、実施の形態３の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００５９】
図１５は、図１０に対応する切断面における、実施の形態３に係るタング等の断面図、図１６は、カバー本体４１、４２からベルトカバー６０の一部を取り外した状態の斜視図である。実施形態１と同様に、各シートベルト２０の長手方向における中央やや下方寄りの位置にはタング７０が取り付けられており、これら各シートベルト２０のそれぞれのタング７０を相互に隣接させて一体に組み合わせた状態でバックル１３に差し込むことで、シートベルト２０の装着が完了する。
【００６０】
ここで、このタング７０の全体又は少なくとも一部が第１の磁石として形成されている。従って、シートベルト２０の非固定状態（ロック解除状態）において、各タング７０を第２の磁石１７の近傍位置に配置することで、シートベルト２０をシート本体１０に沿わせた状態で保持することできる。この場合においても、図２（ａ）と同様に、シートベルト２０の下部を所要状態に維持できる。すなわち、本実施の形態３においては、すなわち、これらタング７０と第２の磁石１７とは、ベルト保持部として機能する。
【００６１】
（実施の形態３の効果）
このように実施の形態３によれば、タング７０及び第２の磁石１７を用いてシートベルト２０の下部を開放方向に保持できるので、幼児の着座前の状態においても、シートベルト２０の下部がシート本体１０の前方内側に垂れ下がることを防止でき、着座空間Ｓをシートベルト２０の介在がない開放空間に維持することができる。
【００６２】
特に、タング７０を第１の磁石としたので、従来から用いているタング７０の材質を変更するだけでベルト保持部の一部を構成でき、実施の形態１のように別途に第１の磁石を固定等する必要がないので、シートベルトの保持構造を一層簡易に構成できる。
【００６３】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６５】
（各実施の形態の相互の関係について）
上記説明した各実施の形態は、任意の組み合わせで相互に組み合わせることができる。例えば、実施の形態１の第１の磁石と実施の形態３におけるタングとを同時に設け、第１の磁石とタングのいずれか一方又は両方を、座席本体に引き付けるようにしてもよい。この場合には、例えば、座席本体の第２の磁石１７についても、複数設けることができる。
【００６６】
（ベルト保持部について）
ベルト保持部は、シートベルト２０の任意の位置に複数設けることができ、例えば、実施の形態１のベルトカバー４０を、シートベルト２０の下部に設けることもできる。あるいは、第１の磁石を、シートベルト２０の上部に設けてもよい。また、第１の磁石や第２の磁石１７の一方を、永久磁石ではなく、鉄片等の磁性体に代えてもよい。また、第２の連結ベルト６１については、シート本体２０の前面側に配置してもよい。あるいは、連結ベルト４５を弾性部材にて形成することで、第２の連結ベルト６１の機能を兼ねるようにしてもよい。
【産業上の利用可能性】
【００６７】
この発明に係るシートベルトの保持構造は、チャイルドシートの如き各種のシートに適用することができ、非固定状態のシートベルトを着座空間の妨げにならないように保持することに有用である。
【図面の簡単な説明】
【００６８】
【図１】幼児を着座させた状態のチャイルドシートの斜視図である。
【図２】チャイルドシートの正面図であって、（ａ）は幼児を着座させる前の状態、（ｂ）は幼児を着座させた直後の状態を示す図である。
【図３】各ベルトの相互関係を示す斜視図である。
【図４】シート本体の分解斜視図である。
【図５】シート本体を背面側から見た斜視図である。
【図６】実施の形態１に係るベルトカバーの斜視図である。
【図７】図６のＡ−Ａ矢視断面図である。
【図８】シート本体に対するベルトカバーの取り付け方法を示す分解斜視図である。
【図９】図（ａ）のＢ−Ｂ矢視断面図である。
【図１０】図２（ａ）のＣ−Ｃ矢視断面図である。
【図１１】カバー本体からベルトカバーの一部を取り外した状態の斜視図である。
【図１２】実施の形態２に係るベルトカバーの斜視図である。
【図１３】図１２のＤ−Ｄ矢視断面図である。
【図１４】図９に対応する切断面における、実施の形態２に係るベルトカバー等の断面図である。
【図１５】図１０に対応する切断面における、実施の形態３に係るタング等の断面図である。
【図１６】カバー本体からベルトカバーの一部を取り外した状態の斜視図である。
【符号の説明】
【００６９】
１  チャイルドシート
１０  シート本体
１１  シェル
１２  シートカバー
１３  バックル
１４、３１、４３、４４  挿通孔
１５  固定金具
１６  調節ベルト
１７  第２の磁石
１８  凹部
２０  シートベルト
２１、７０  タング
３０、４０、６０  ベルトカバー
４１、４２  カバー本体
４５  連結ベルト
４６  押圧部
４７、４８  側部
５０  第１の磁石
５１  取付け布
６１  第２の連結ベルト
【図１】
2008290587.tif 000003
【図２】
2008290587.tif 000004
【図３】
2008290587.tif 000005
【図４】
2008290587.tif 000006
【図５】
2008290587.tif 000007
【図６】
2008290587.tif 000008
【図７】
2008290587.tif 000009
【図８】
2008290587.tif 000010
【図９】
2008290587.tif 000011
【図１０】
2008290587.tif 000012
【図１１】
2008290587.tif 000013
【図１２】
2008290587.tif 000014
【図１３】
2008290587.tif 000015
【図１４】
2008290587.tif 000016
【図１５】
2008290587.tif 000017
【図１６】
2008290587.tif 000018